(57)【要約】【課題】  電子メールの送信に目覚まし時計機能を付加させることによって、利用者が自分自身の事情を反映させることに加え相手方の事情までも配慮した電子メールの送信を行うことができる情報端末装置を提供すること。【解決手段】  第１フラグがＯＮであることを条件として（Ｓ１１１：ＹＥＳ）、電子メールの送信者（利用者）が設定した「目覚まし時刻」において（Ｓ１１２：ＹＥＳ）、スピーカ１３から目覚まし音を鳴らせると同時に（Ｓ１１３）、当該電子メールの送信を電子メール送受信部１８で行う（Ｓ１１４）、第１同時起動がなされる。【選択図】  図２
2006040171.tif 000002
【特許請求の範囲】
【請求項１】
時刻の設定を行う時刻設定手段と、
前記時刻設定手段により設定された所望時刻に目覚まし音を鳴らせる音響発生手段と、
電子メールの送信を行う電子メール送信手段と、
前記電子メール送信手段を前記音響発生手段と同時に起動させる第１同時起動手段と、を備えたこと、を特徴とする情報端末装置。
【請求項２】
請求項１に記載する情報端末装置であって、
電子メールの受信を行う電子メール受信手段と、
前記電子メール受信手段を前記音響発生手段と同時に起動させる第２同時起動手段と、を備えたこと、を特徴とする情報端末装置。
【発明の詳細な説明】
【技術分野】
【０００１】
本発明は、目覚まし音と電子メールを関連させた情報端末装置に関するものである。
【背景技術】
【０００２】
従来の情報端末装置には、例えば、目覚まし時計機能が設定されている場合に、目覚まし時刻まで着信を非動作にするものがあり、これにより、睡眠時間中の着信があっても鳴動することがないので、利用者の睡眠妨害を阻止することができる（例えば、特許文献１参照）。
【特許文献１】特開２００４−５６６５１号公報
【発明の開示】
【発明が解決しようとする課題】
【０００３】
しかしながら、このような情報端末装置は、電子メールの受信を目覚まし時計機能で制限することにより、利用者が自分自身の事情を電子メールの受信に反映させるものであって、電子メールの送信に際して、利用者が自分自身の事情に加え相手方の事情にまで配慮させることはできなかった。
【０００４】
そこで、本発明は、上述した点を鑑みてなされたものであり、電子メールの送信に目覚まし時計機能を付加させることによって、利用者が自分自身の事情を反映させることに加え相手方の事情までも配慮させた電子メールの送信を行うことができる情報端末装置を提供することを課題とする。
【課題を解決するための手段】
【０００５】
この課題を解決するために成された請求項１に係る発明は、情報端末装置（例えば、情報端末装置１）であって、時刻の設定を行う時刻設定手段（例えば、操作キー１４）と、前記時刻設定手段（例えば、操作キー１４）により設定された所望時刻に目覚まし音を鳴らせる音響発生手段（例えば、スピーカ１３）と、電子メールの送信を行う電子メール送信手段（例えば、電子メール送受信部１８）と、前記電子メール送信手段（例えば、電子メール送受信部１８）を前記音響発生手段（例えば、スピーカ１３）と同時に起動させる第１同時起動手段（例えば、ＣＰＵ１１）と、を備えたこと、を特徴としている。
【０００６】
また、請求項２に係る発明は、請求項１に記載する情報端末装置（例えば、情報端末装置１）であって、電子メールの受信を行う電子メール受信手段（例えば、電子メール送受信部１８）と、前記電子メール受信手段（例えば、電子メール送受信部１８）を前記音響発生手段（例えば、スピーカ１３）と同時に起動させる第２同時起動手段（例えば、ＣＰＵ１１）と、を備えたこと、を特徴としている。
【発明の効果】
【０００７】
すなわち、本発明の情報端末装置では、電子メールの送信者が設定した所望時刻において、目覚まし音を鳴らせると同時に当該電子メールの送信を行うことにより、電子メールの送信に目覚まし時計機能を付加させており、これにより、電子メールの送信者と当該電子メールの受信者の両者にとって、適切な時刻での当該電子メールの通信とその適切な時刻の告知を同時に行うことができるので、送信者者が自分自身の事情を反映させることに加え受信者の事情までも配慮させた電子メールの送信を行うことができる。
【発明を実施するための最良の形態】
【０００８】
以下、本発明の実施の形態を図面を参照にして説明する。図１は、本実施の形態の情報端末装置のブロック図である。図１に示すように、本実施の形態の情報端末装置１は、ＣＰＵ１１に対して、クロック１２や、スピーカ１３、操作キー１４、ディスプレイ１５、ＲＡＭ１６、ＲＯＭ１７、電子メール送受信部１８などが接続された構成になっている。
【０００９】
この点、ＣＰＵ１１は、ＲＯＭ１７に予め記憶されたプログラムに従って制御動作を行うものである。この制御動作により、現在の時刻をディスプレイ１５に表示したり、所望時刻を操作キー１４で設定したり、その所望時刻にスピーカ１３から目覚まし音を鳴動させたり、ディスプレイ１５及び操作キー１４を利用して電子メールを作成したり、電子メール送受信部１８により電子メールの送信・受信を行ったり、後述する図２乃至図５のプログラムに従った制御動作などを行う。
【００１０】
また、クロック１２は、基準クロックパルスを発生させるものである。この基準クロックパルスにより、ＣＰＵ１１は現在の時刻を知ることができる。
【００１１】
また、スピーカ１３は、目覚まし音や、着信音、アラーム音などの音を出力するものである。ここで、目覚まし音とは、起床する際に鳴動させる音をいう。着信音とは、電子メールが着信した際に鳴動させる音をいう。アラーム音とは、誤操作等の際に鳴動させる音をいう。
【００１２】
また、操作キー１４は、数字や文字などを入力するものであって、その形式には、ボタンキーやダイヤルキーなどがある。この入力により、現在の時刻の調整や、目覚まし音を鳴動させる所望時刻の設定、電子メールの作成、電子メールの送信・受信に関する操作、後述する図２乃至図５のプログラムでの操作、スピーカ１３からの出力の解除などその他必要な操作などを行うことができる。
【００１３】
また、ディスプレイ１５は、現在の時刻の表示や、スピーカ１３から目覚まし音を鳴動させる所望時刻の表示、受信した電子メールの内容の表示、送信する電子メールの作成中又は作成後の内容の表示などを行うものであって、液晶ディスプレイなどで構成される。
【００１４】
また、ＲＡＭ１６は、ＣＰＵ１１が制御動作を行う際に必要なワークエリアを確保するものである。特に、後述する図２乃至図５のプログラムで使用する、第１フラグや、第２フラグ、スピーカ１３から目覚まし音を鳴動させる所望時刻、電子メールの作成の有無の記憶エリアが確保されている。また、受信した電子メールの内容、作成した電子メールの内容なども記憶される。
【００１５】
また、ＲＯＭ１７は、上述したように、ＣＰＵ１１が制御動作を行う際に必要なプログラムが予め記憶されたエリアである。
また、電子メール送受信部１８は、それに接続されたアンテナ１９を介して電子メールの送受信を行うものである。
【００１６】
従って、本実施の形態の情報端末装置１は、ディスプレイ１５に現在の時刻を表示するものであって、さらに、ディスプレイ１５を見ながら操作キー１４を使用して所望時刻を設定すれば、その所望時刻になると、スピーカ１３から目覚まし音を鳴動させることができ、これらより、目覚まし時計機能を発揮することができる。
【００１７】
また、本実施の形態の情報端末装置１は、電子メール送受信部１８で受信した電子メールを、操作キー１４による操作によって、ディスプレイ１５に表示させたり、操作キー１４による操作や入力によって、ディスプレイ１５を見ながら電子メールを作成したり、この作成したメールを、操作キー１４による操作によって、電子メール送受信部１８で送信したりすることができ、これらより、電子メールの作成・送信・受信の各機能を発揮することができる。
【００１８】
さらに、本実施の形態の情報端末装置１は、後述する図２乃至図５のプログラムを実行することによって、電子メールの送信に際して目覚まし時計機能を付加させている。
【００１９】
先ず、図２のプログラムは、操作キー１４による操作を契機にて実行される。
そして、図２のプログラムでは、Ｓ１０１において、目覚まし音を鳴動させる所望時刻（以下、「目覚まし時刻」という）が設定されたか否かを判断する。このとき、「目覚まし時刻」が設定されたと判断しない場合には（Ｓ１０１：ＮＯ）、何もすることなく本プログラムを終了するが、「目覚まし時刻」が設定されたと判断する場合には（Ｓ１０１：ＹＥＳ）、Ｓ１０２に進む。
【００２０】
Ｓ１０２では、電子メールが作成されたか否かを判断する。このとき、電子メールが作成されていないと判断する場合には（Ｓ１０２：ＮＯ）、何もすることなく本プログラムを終了するが、電子メールが作成されたと判断する場合には（Ｓ１０２：ＹＥＳ）、Ｓ１０３に進む。
【００２１】
Ｓ１０３では、第１同時起動を行うか否かを判断する。この判断は、ディスプレイ１５に表示されたメッセージに対し利用者が行った操作キー１４の操作に基づいて判断する。このとき、第１同時起動を行わないと判断した場合には（Ｓ１０３：ＮＯ）、何もすることなく本プログラムを終了するが、第１同時起動を行うと判断した場合には（Ｓ１０３：ＹＥＳ）、Ｓ１０４に進む。
【００２２】
Ｓ１０４では、ＲＡＭ１６に確保された第１フラグをＯＮし、その後に、本プログラムを終了する。
【００２３】
次に、図３のプログラムは、定期的に実行される。
そして、図３のプログラムでは、Ｓ１１１において、第１フラグがＯＮであるか否かを判断している。このとき、第１フラグがＯＮでないと判断する場合には（Ｓ１１１：ＮＯ）、何もすることなく本プログラムを終了するが、第１フラグがＯＮであると判断する場合には（Ｓ１１１：ＹＥＳ）、Ｓ１１２に進む。
【００２４】
Ｓ１１２では、「目覚まし時刻」であるか否かが判断される。このとき、「目覚まし時刻」でないと判断する場合には（Ｓ１１２：ＮＯ）、何もすることなく本プログラムを終了するが、「目覚まし時刻」であると判断する場合には（Ｓ１１２：ＹＥＳ）、Ｓ１１３に進む。
【００２５】
Ｓ１１３では、スピーカ１３から目覚まし音を鳴動させる。また、次のＳ１１４では、作成された電子メールを電子メール送受信部１８で送信する。さらに、次のＳ１１５において、第１フラグをＯＦＦし、その後に、本プログラムを終了する。
【００２６】
すなわち、ＣＰＵ１１は、Ｓ１１３及びＳ１１４を連続して処理する際に、「第１同時起動手段」として作用する。
【００２７】
以上より、本実施の形態の情報端末装置１では、図２と図３のプログラムをＣＰＵ１１が実行すると、第１フラグがＯＮであることを条件として（Ｓ１０３：ＹＥＳ、Ｓ１１１：ＹＥＳ）、電子メールの送信者（利用者）が設定した「目覚まし時刻」において（Ｓ１１２：ＹＥＳ）、スピーカ１３から目覚まし音を鳴らせると同時に（Ｓ１１３）、当該電子メールの送信を電子メール送受信部１８で行う（Ｓ１１４）、第１同時起動がなされる。従って、電子メールの送信に目覚まし時計機能を付加させており、これにより、電子メールの送信者と当該電子メールの受信者の両者にとって、適切な時刻での当該電子メールの通信とその適切な時刻の告知を同時に行うことができるので、送信者者が自分自身の事情を反映させることに加え受信者の事情までも配慮させた電子メールの送信を行うことができる。
【００２８】
また、図４のプログラムは、操作キー１４による操作を契機にて実行される。
そして、図４のプログラムでは、Ｓ２０１において、第２同時起動を行うか否かを判断する。この判断は、ディスプレイ１５に表示されたメッセージに対し利用者が行った操作キー１４の操作に基づいて判断する。このとき、第２同時起動を行わないと判断した場合には（Ｓ２０１：ＮＯ）、何もすることなく本プログラムを終了するが、第２同時起動を行うと判断した場合には（Ｓ２０１：ＹＥＳ）、Ｓ２０２に進む。
【００２９】
Ｓ２０２では、ＲＡＭ１６に確保された第２フラグをＯＮし、その後に、本プログラムを終了する。
【００３０】
次に、図５のプログラムは、定期的に実行される。
そして、図５のプログラムでは、Ｓ２２１において、第２フラグがＯＮであるか否かを判断している。このとき、第２フラグがＯＮでないと判断する場合には（Ｓ２２１：ＮＯ）、何もすることなく本プログラムを終了するが、第２フラグがＯＮであると判断する場合には（Ｓ２２１：ＹＥＳ）、Ｓ２２２に進む。
【００３１】
Ｓ２２２では、電子メールを受信したか否かが判断される。このとき、電子メールを受信していないと判断する場合には（Ｓ２２２：ＮＯ）、何もすることなく本プログラムを終了するが、電子メールを受信したと判断する場合には（Ｓ２２２：ＹＥＳ）、Ｓ２２３に進む。
【００３２】
Ｓ２２３では、スピーカ１３から目覚まし音を鳴動させる。さらに、次のＳ２２４において、第２フラグをＯＦＦし、その後に、本プログラムを終了する。
【００３３】
すなわち、ＣＰＵ１１は、Ｓ２２２及びＳ２２３を連続して処理する際に、「第２同時起動手段」として作用する。
【００３４】
以上より、本実施の形態の情報端末装置１では、図４と図５のプログラムをＣＰＵ１１が実行すると、第２フラグがＯＮであることを条件として（Ｓ２０２：ＹＥＳ、Ｓ２２１：ＹＥＳ）、電子メール送受信部１８が電子メールを受信したと同時に（Ｓ２２２：ＹＥＳ）、スピーカ１３から目覚まし音を鳴らせる（Ｓ２２３）、電子メールの受信に目覚まし時計機能を付加させた第２同時起動がなされる。
【００３５】
尚、本発明は上記実施の形態に限定されるものでなく、その趣旨を逸脱しない範囲で様々な変更が可能である。
例えば、予めデフォルトでＲＯＭ１７に記憶された複数の簡単なメッセージの中から電子メールの内容となるものを操作キー１４で選択すれば、電子メールの内容を操作キー１４でその都度入力することがないので、電子メールの内容を簡単に作成することができる。そのためには、複数の簡単なメッセージとして、ＲＯＭ１７において、例えば、「時間ですよ！起きなさい！」や、「出発時間です！」、「モーニングコールです！」などといった１行伝言を予め記憶させておく。また、利用者は、操作キー１４による操作により、ＣＰＵ１１の動作制御を行わせて、ディスプレイ１５の表示内容を図６に示すようにし、操作キー１４により電子メールの送信者（利用者自身）の名前を入力して、ＲＡＭ１６に記憶させておく。
【００３６】
そして、上記Ｓ１０２において、操作キー１４による入力により電子メールを作成していない場合には、ディスプレイ１５の表示内容を図６に示すようにし、「時間ですよ！起きなさい！」や、「出発時間です！」、「モーニングコールです！」の３つの簡単なメッセージを表示するとともに、それらのメッセージに対応する数字を操作キー１４で入力することにより、それらのメッセージの中から１つを選択させる。このとき選択されたメッセージは、スピーカ１３から目覚まし音が鳴動する（上記Ｓ１１３）と同時に、上記Ｓ１１４において、電子メールとして送信される。
【００３７】
具体的に言えば、上記Ｓ１０２において操作キー１４により「１」の数字を入力した場合には、当該「１」の数字に対応する「時間ですよ！起きなさい！」のメッセージが（図７参照）、電子メールの送信者（利用者）の名前が添えられた状態で、上記Ｓ１１４にて電子メール送受信部１８から送信される。また、上記Ｓ１０２において操作キー１４により「２」の数字を入力した場合には、当該「２」の数字に対応する「出発時間です！」のメッセージが（図７参照）、電子メールの送信者（利用者）の名前が添えられた状態で、上記Ｓ１１４にて電子メール送受信部１８から送信される。また、上記Ｓ１０において操作キー１４により「３」の数字を入力した場合には、当該「３」の数字に対応する「モーニングコールです！」のメッセージが（図７参照）、電子メールの送信者（利用者）の名前が添えられた状態で、上記Ｓ１１４にて電子メール送受信部１８から送信される。
【００３８】
これにより、電子メールの送信者（利用者）が設定した「目覚まし時刻」に適した電子メールの内容を簡単に設定することができるとともに、同様にして、電子メールの送信者と当該電子メールの受信者の両者にとって、適切な時刻での当該電子メールの通信とその適切な時刻の告知を同時に行うことができるので、送信者者が自分自身の事情を反映させることに加え受信者の事情までも配慮させた電子メールの送信を行うことができる。
【００３９】
また、本実施の形態の情報端末装置１は、第１同時起動や第２同時起動を専用に行うものであってもよいが、この点、第１同時起動や第２同時起動を、例えば、パーソナルコンピュータに付加したものであってもよいし、目覚まし時計に付加したものであってもよいし、携帯電話に付加したものであってもよい。
【産業上の利用可能性】
【００４０】
本発明は、目覚まし時計機能と電子メール送信機能とを関連させる技術に適用し得る。
【図面の簡単な説明】
【００４１】
【図１】本実施の一形態による情報端末装置のブロック図である。
【図２】本実施の一形態による情報端末装置が実行するプログラムである。
【図３】本実施の一形態による情報端末装置が実行するプログラムである。
【図４】本実施の一形態による情報端末装置が実行するプログラムである。
【図５】本実施の一形態による情報端末装置が実行するプログラムである。
【図６】本実施の一形態による情報端末装置においてディスプレイの表示例を示す図である。
【図７】本実施の一形態による情報端末装置においてディスプレイの表示例を示す図である。
【符号の説明】
【００４２】
１  情報端末装置
１１  ＣＰＵ
１２  クロック
１３  スピーカ
１４  操作キー
１５  ディスプレイ
１６  ＲＡＭ
１７  ＲＯＭ
１８  電子メール送受信部
１９  アンテナ
【図１】
2006040171.tif 000003
【図２】
2006040171.tif 000004
【図３】
2006040171.tif 000005
【図４】
2006040171.tif 000006
【図５】
2006040171.tif 000007
【図６】
2006040171.tif 000008
【図７】
2006040171.tif 000009